【手続補正書】
【提出日】平成19年10月5日(2007.10.5)
【手続補正１】
【補正対象書類名】明細書
【補正対象項目名】特許請求の範囲
【補正方法】変更
【補正の内容】
【特許請求の範囲】
【請求項１】
複数の無線機器に対応する複数のセルに対する操作、管理及び保守の支援を提供するメッセージ処理システムを含む無線通信ネットワークであって、前記メッセージ処理システムが少なくとも２つのプログラマブルアプリケーションプロセッサ（ＡＰ）を備え、各ＡＰは、指定されたセル群の代わりに複数のアクティブ無線制御ソフトウェア（ＲＣＳ）インスタンスを実行し、かつ、ＡＰの一次ＲＣＳインスタンスによって対応されている前記セル群とは異なる他のセル群の代わりに複数のスタンバイＲＣＳインスタンスを実行し、さらに、前記メッセージ処理システムによって対応されている各セルが、一対のＡＰ（ＡＰペア）に接続され、一方のＡＰはセルの代わりにアクティブＲＣＳインスタンスを実行し、他方のＡＰはセルの代わりにスタンバイＲＣＳインスタンスを実行する、前記無線通信ネットワークにおいて、少なくとも１個のセルに共通に対応するＡＰペア間でのシステム動作中にダイナミック負荷バランスを行う方法であって、前記方法は、
前記ＡＰのペアによって対応されている少なくとも１個のセルに関係して、前記少なくとも１個のセルに対するアクティブＲＣＳインスタンスとしてＡＰペアの一方のメンバー上で動作している第１のＲＣＳインスタンスと、前記少なくとも１個のセルに対するスタンバイＲＣＳインスタンスとしてＡＰペアの他方のメンバー上で動作している第２のＲＣＳインスタンスとを選択するステップと、
前記少なくとも１個のセルに対する新たなスタンバイＲＣＳインスタンスとして第１のＲＣＳインスタンスを再指定するステップと、
前記少なくとも１個のセルに対する新たなアクティブＲＣＳインスタンスとして第２のＲＣＳインスタンスを再指定するステップと、
ネットワークの動作期間中に前記少なくとも１個のセルへの割込サービスをすることなく、前記第１のＲＣＳインスタンスから前記第２のＲＣＳインスタンスにアクティブメッセージ処理を譲渡するステップとを含むことを特徴とする方法。
【請求項２】
前記第１のＲＣＳインスタンスは最初に一次ＲＣＳインスタンスとして指定され、前記第２のＲＣＳインスタンスは最初に二次ＲＣＳインスタンスとして指定され、前記一次指定は、前記無線通信ネットワークの初期化に応動してＲＣＳインスタンスがアクティブモードで動作されることを示し、前記二次指定は、前記無線通信ネットワークの初期化に応動してＲＣＳインスタンスがスタンバイモードで動作されることを示し、前記方法はさらに、
前記第１のＲＣＳインスタンスを新たな二次ＲＣＳインスタンスとして前記少なくとも１個のセルに再指定するステップと、
前記第２のＲＣＳインスタンスを新たな一次ＲＣＳインスタンスとして前記少なくとも１個のセルに再指定するステップと、
前記無線通信ネットワークの再ブートで前記アクティブ／スタンバイの再指定を固定化するために一次／二次の再指定を利用するステップとを含むことを特徴とする請求項１記載の方法。
【請求項３】
前記選択するステップと前記再指定するステップとは手動で初期化されることを特徴とする請求項２記載の方法。
【請求項４】
前記選択するステップと前記再指定するステップとは自動的に初期化されることを特徴とする請求項１記載の方法。
【請求項５】
前記第１及び第２のＲＣＳインスタンスは一対の第１及び第２の通信リンクを介して前記少なくとも１個のセルと通信し、前記少なくとも１個のセルと前記第１のＲＣＳインスタンスとの間でメッセージトラフィックを搬送する前記再指定するステップより前に、前記第１の通信リンクがアクティブリンクになり、かつ、前記少なくとも１個のセルと前記第２のＲＣＳインスタンスとの間でメッセージトラフィックを搬送しない前記再指定するステップより前に、前記第２の通信リンクがスタンバイリンクになることを特徴とする請求項１記載の方法。
【請求項６】
前記譲渡するステップは、
前記第１の通信リンクを介したメッセージトラフィックの通信が継続中に、内部ＡＰネットワークを介して前記第１のＲＣＳインスタンスから前記第２のＲＣＳインスタンスに処理空間を譲渡するステップと、
前記第２の通信リンクを介して前記少なくとも１個のセルがメッセージトラフィックの通信を開始したことを通知するステップと、
を有することを特徴とする請求項５記載の方法。
【請求項７】
前記第１及び第２のＲＣＳインスタンスに対する前記一次及び二次指定がデータベースに格納されることを特徴とする請求項２記載の方法。
【請求項８】
アクティブ及びスタンバイＲＣＳインスタンスを前記少なくとも１個のセルの代わりに動作させる新たなＡＰペアを形成するために、ＡＰペアの一方のメンバーから異なるＡＰに前記第１及び第２のＲＣＳインスタンスを再配置するステップをさらに有することを特徴とする請求項１記載の方法。
【請求項９】
前記無線通信ネットワークは、前記指定されたセル群の代わりに複数のアクティブＲＣＳインスタンスを動作させる第１のＡＰと、前記指定されたセル群の代わりにスタンバイＲＣＳインスタンスを動作させる少なくとも２個の追加のＡＰとを備え、前記追加のＡＰの各々が前記アクティブＲＣＳインスタンスが動作している前記第１のＡＰの一方とペアとなり、それにより分配された連携ペア処理配置が実現されることを特徴とする請求項１記載の方法。
【請求項１０】
前記第１のＡＰは第１の電力供給源によって電力を供給され、前記少なくとも２個の追加のＡＰは第２の電力供給源によって電力を供給されることを特徴とする請求項９記載の方法。
【請求項１１】
複数の無線機器に対応する複数のセルに対する操作、管理及び保守の支援を提供するメッセージ処理システムを含む無線通信ネットワークであって、前記メッセージ処理システムが少なくとも２つのプログラマブルアプリケーションプロセッサ（ＡＰ）を備え、各ＡＰは、指定されたセル群の代わりに複数のアクティブ無線制御ソフトウェア（ＲＣＳ）インスタンスを実行し、かつ、ＡＰの一次ＲＣＳインスタンスによって対応されている前記セル群とは異なる他のセル群の代わりに複数のスタンバイＲＣＳインスタンスを実行し、さらに、前記メッセージ処理システムによって対応されている各セルが、一対のＡＰ（ＡＰペア）に接続され、一方のＡＰはセルの代わりにアクティブＲＣＳインスタンスを実行し、他方のＡＰはセルの代わりにスタンバイＲＣＳインスタンスを実行する、前記無線通信ネットワークにおいて、少なくとも１個のセルに共通に対応するＡＰペア間でダイナミック負荷バランスを行うシステムであって、前記システムは、
前記ＡＰのペアによって対応されている少なくとも１個のセルに関係して、前記少なくとも１個のセルに対するアクティブＲＣＳインスタンスとしてＡＰペアの一方のメンバー上で動作している第１のＲＣＳインスタンスと、前記少なくとも１個のセルに対するスタンバイＲＣＳインスタンスとしてＡＰペアの他方のメンバー上で動作している第２のＲＣＳインスタンスとを選択する手段と、
前記少なくとも１個のセルに対する新たなスタンバイＲＣＳインスタンスとして第１のＲＣＳインスタンスを再指定する第１の手段と、
前記少なくとも１個のセルに対する新たなアクティブＲＣＳインスタンスとして第２のＲＣＳインスタンスを再指定する第２の手段と、
ネットワークの動作期間中に前記少なくとも１個のセルへの割込サービスをすることなく、前記第１のＲＣＳインスタンスから前記第２のＲＣＳインスタンスにアクティブメッセージ処理を転送する転送手段とを含むことを特徴とするシステム。
【請求項１２】
前記第１のＲＣＳインスタンスは最初に一次ＲＣＳインスタンスとして指定され、前記第２のＲＣＳインスタンスは最初に二次ＲＣＳインスタンスとして指定され、前記一次指定は、前記無線通信ネットワークの初期化に応動してＲＣＳインスタンスがアクティブモードで動作されることを示し、前記二次指定は、前記無線通信ネットワークの初期化に応動してＲＣＳインスタンスがスタンバイモードで動作されることを示し、前記システムはさらに、
前記第１のＲＣＳインスタンスを新たな二次ＲＣＳインスタンスとして前記少なくとも１個のセルに再指定する第３の手段と、
前記第２のＲＣＳインスタンスを新たな一次ＲＣＳインスタンスとして前記少なくとも１個のセルに再指定する第４の手段と、
前記無線通信ネットワークの再ブートで前記アクティブ／スタンバイの再指定を固定化するために一次／二次の再指定を利用する手段とを含むことを特徴とするシステム。
【請求項１３】
前記選択する手段、前記第１、第２、第３及び第４の再指定手段の動作は手動で初期化されることを特徴とする請求項１２記載のシステム。
【請求項１４】  
前記選択する手段、前記第１、第２、第３及び第４の再指定手段の動作は自動的に初期化されることを特徴とする請求項１２記載のシステム。
【請求項１５】
前記第１及び第２のＲＣＳインスタンスは一対の第１及び第２の通信リンクを介して前記少なくとも１個のセルと通信し、前記少なくとも１個のセルと前記第１のＲＣＳインスタンスとの間でメッセージトラフィックを搬送する前記再指定する手段の動作より前に、前記第１の通信リンクがアクティブリンクになり、かつ、前記少なくとも１個のセルと前記第２のＲＣＳインスタンスとの間でメッセージトラフィックを搬送しない前記再指定する手段の動作より前に、前記第２の通信リンクがスタンバイリンクになることを特徴とする請求項１１記載のシステム。
【請求項１６】
前記譲渡する手段は、
前記第１の通信リンクを介したメッセージトラフィックの通信が継続中に、内部ＡＰネットワークを介して前記第１のＲＣＳインスタンスから前記第２のＲＣＳインスタンスに処理空間を譲渡する手段と、
前記第２の通信リンクを介して前記少なくとも１個のセルがメッセージトラフィックの通信を開始したことを通知する手段と、
を有することを特徴とする請求項１５記載のシステム。
【請求項１７】
前記第１及び第２のＲＣＳインスタンスに対する前記一次及び二次指定がデータベースに格納されることを特徴とする請求項１２記載のシステム。
【請求項１８】
アクティブ及びスタンバイＲＣＳインスタンスを前記少なくとも１個のセルの代わりに動作させる新たなＡＰペアを形成するために、ＡＰペアの一方のメンバーから異なるＡＰに前記第１及び第２のＲＣＳインスタンスを再配置する手段をさらに有することを特徴とする請求項１１記載のシステム。
【請求項１９】
前記無線通信ネットワークは、前記指定されたセル群の代わりに複数のアクティブＲＣＳインスタンスを動作させる第１のＡＰと、前記指定されたセル群の代わりにスタンバイＲＣＳインスタンスを動作させる少なくとも２個の追加のＡＰとを備え、前記追加のＡＰの各々が前記アクティブＲＣＳインスタンスが動作している前記第１のＡＰの一方とペアとなり、それにより分配された連携ペア処理配置が実現されることを特徴とする請求項１１記載のシステム。
【請求項２０】
前記第１のＡＰは第１の電力供給源によって電力を供給され、前記少なくとも２個の追加のＡＰは第２の電力供給源によって電力を供給されることを特徴とする請求項１９記載の実行システム。
【請求項２１】
無線通信ネットワークにおけるメッセージ処理システムであって、
複数のアプリケーションプロセッサを備え、
前記アプリケーションプロセッサの第１の群は第１の電力供給源によって電力を供給され、前記アプリケーションプロセッサの第２の群は第２の電力供給源によって電力を供給され、
前記アプリケーションプロセッサの各々は複数の無線制御ソフトウェアインスタンスを実行し、
前記無線通信ネットワークにおける１個のセルの代わりにメッセージ処理を提供するために、前記第１の群における１つのアプリケーションプロセッサ上で動作している第１の前記無線制御ソフトウェアインスタンスは、前記第２の群の他のアプリケーションプロセッサ上で動作している第２の無線制御ソフトウェアインスタンスと連携され、
前記第１及び第２の無線制御ソフトウェアインスタンスは、それぞれ一次／アクティブ指定及び二次／スタンバイ指定に割り当てられ、前記アクティブ及びスタンバイ指定は、前記第１及び第２の無線制御ソフトウェアインスタンスが前記セルの代わりにアクティブメッセージ処理を実行することを決定し、前記一次及び二次指定は、システムの初期化の間に前記第１及び第２の無線制御ソフトウェアインスタンスの動作モード（アクティブ又はスタンバイ）を決定し、
システムの動作中に、前記第１及び第２の無線制御ソフトウェアインスタンスの間でアクティブ指定及びスタンバイ指定を切り替える第１の手段により、前記セルの代わりの作業負荷のメッセージ処理が前記第１及び第２の無線制御ソフトウェアインスタンスから他の無線制御ソフトウェアインスタンスに譲渡され、
システムの動作中に、前記第１及び第２の無線制御ソフトウェアインスタンスの間でアクティブ指定及びスタンバイ指定を切り替える第２の手段により、前記第１及び第２の無線制御ソフトウェアインスタンスから他の無線制御ソフトウェアインスタンスへの作業負荷のメッセージ処理の永久的な譲渡を果たし、そして、
それにより、前記セルへの割込サービスを伴うことなく、メッセージ処理は前記第１及び第２の無線制御インスタンス間で譲渡され、前記メッセージ処理は当該システムの再ブートで固定化されることを特徴とするシステム。